(57)【特許請求の範囲】
【請求項１】
貯槽の外側に取り付ける呼吸弁の凍結防止装置であって、該呼吸弁の全体を風除けカバー内に収納し、該風除けカバーには、前記呼吸弁の呼吸に伴い吸気及び排気する各気体を風除けカバーの内部に吸入及び外部に放出する吸排気口を備えるとともに、前記風除けカバーの吸排気口に通じる空間部を除く該風除けカバー内の空間部を保温材にて充填形成し、前記風除けカバーは箱状に形成して前記呼吸弁の周囲を覆う保温カバーと、該保温カバーの壁面に呼吸弁の呼吸に伴う吸排気口を備え、該吸排気口をパンチングメタルの孔の開いた構造とし、該吸排気口から該保温カバーの外方側に向けて離隔し、吸排気の流路を形成する位置で前記貯槽の屋根板面に対して垂直方向に風除け用邪魔板を立設し、該風除け用邪魔板の上部を覆う風雨カバーを風除けカバーの側壁上部に取付け形成することを特徴とする呼吸弁の凍結防止装置。
【請求項２】
請求項１記載の呼吸弁は該呼吸弁及び該呼吸弁周囲の空間温度を保持する温度保持機構を備え、該温度保持機構は該呼吸弁を加温するヒーターと、前記呼吸弁の傘部外面又は弁筐外側に該呼吸弁の温度を検知する温度センサと、該温度センサの感温部を被覆する保温材と、前記ヒーターと前記温度センサと連動して該呼吸弁及び呼吸弁周囲の空間温度を一定に保持する制御盤とを備え、該制御盤は、前記温度センサの計測温度が設定温度に下がった段階で前記ヒーターの電源を自動的に入れ、前記温度センサの計測温度が設定温度以上に上がった段階で前記ヒーターの電源を自動的に切る機構を備えることを特徴とする請求項１記載の呼吸弁の凍結防止装置。
【発明の詳細な説明】
【技術分野】
【０００１】
この発明は、寒冷地の貯槽の外側に取り付ける呼吸弁が強い冷風に曝され、あるいは気温の急激な低下により、呼吸弁本体の温度が低下することで、凍結による作動不良を生じないようにした呼吸弁の凍結防止装置に関するものである。
【背景技術】
【０００２】
図５に一般的な固定屋根式の貯槽１の構造を示す。２は側板、３は底板、４は屋根板、５は基盤、６は地盤、７は液体であり、貯槽１は地盤６の基盤５上に据え置かれ、液体７を貯蔵している。
各種の液体７を貯蔵する貯槽１においては、従来より貯蔵液体７の払出しや受入れによって、或いは外気条件によって、生じる内圧変化に対応させるために、屋根板４等に呼吸弁管台８を設け、その上部に呼吸弁９を取り付けている。
上記の呼吸弁９は、ブリーザーバルブ、ブリーザー弁、大気弁、アトモス弁等とも呼ばれ、貯槽の内圧が所定の圧力以上より減少したときは大気を吸入し、または内圧が所定の圧力に増大したときは貯槽内の気体を外部に放出するようにして、貯槽自体の収縮あるいは膨張を抑制して損傷しないようにするために設置されている。
図６は、図５のＢ部を拡大した正面図を示しており、呼吸弁９の周囲には通常は風Ｗを遮蔽するものが無く、冷たい風Ｗに呼吸弁９本体が曝される。
また、図６の呼吸弁９は、傘部９ａ内側に温度センサ１４を設けている。
この温度センサ１４は低温警報器に接続され、当該低温警報器は、温度センサ１４の計測温度が所定の温度を下回った場合に警報を発生する。
【０００３】
寒冷地の貯槽等に取り付ける呼吸弁の従来技術として、例えば、特許文献１の実公昭６１−１３８１４号公報「可燃物貯蔵タンク等の弁装置」の考案がある。この考案は、可燃物タンク等における弁重式の寒冷地用ブリーザーバルブであって、弁体に樹脂皮膜を被覆する等の手段により、弁体や弁座に付着した水滴によって弁体や弁座が凍結しない構造を備えている。
【０００４】
また、換気口が風に曝されないようにする従来技術として、特許文献２の実公平６−９２０１号公報に開示された「換気口の構造」の考案がある。この考案は、家屋の内部と連通した換気ダクトの上方に間隔をへだてて笠体を配し、笠体の周部から風避け板を垂下し、風避け板に第１開口と第２開口とを換気ダクトの直径方向に対向させて設け、第１開口及び第２開口よりも高い位置の換気ダクトの外周面の周方向の一部から邪魔板を第１開口及び第２開口に向けて夫々延出して成る換気口の構造である。
【０００５】
さらに、前記の従来技術として、特許文献３の実登第３０１３６５５号公報「換気フード」の考案がある。この考案は、壁面への取付口を有し、その開口部に対向してほぼ直角の筒状本体を備えた換気フードにおいて、筒状本体の一端には取付口と対向する側に少しの間隙を残してやや内向きに第１の風防板を、また筒状本体の他端には取付口と対向する側に少しの間隙を残してやや内向きに第２の風防板を設ける構造である。
【先行技術文献】
【特許文献】
【０００６】
【特許文献１】実公昭６１−１３８１４号公報
【特許文献２】実公平６−９２０１号公報
【特許文献３】実登第３０１３６５５号公報
【発明の概要】
【発明が解決しようとする課題】
【０００７】
図５に示す通り、寒冷地の貯槽１に呼吸弁９を取り付ける場合、特許文献１に示すような、弁体等に合成樹脂を被覆して弁体と弁座を凍結し難くした寒冷地用のブリーザーバルブを採用することがある。
但し、上記寒冷地用のブリーザーバルブは、弁体等を樹脂で被覆していることから、弁体と弁座の密着が難しくなるため、吸排気口が完全に閉まらず、寒冷地仕様でないブリーザーバルブと比較して、弁体閉止時の吸排気口からの気体の漏れ量が多くなるという欠点があった。そのため、気体漏れ量を厳しく制限される貯槽には、使用できないという問題があった。
図６に示すように、呼吸弁９は、通常は周囲に風Ｗを遮るものがないため、冷風に直接曝される状態となり、寒冷地仕様でない呼吸弁９を使用すると、弁筐内の弁体と弁座が凍結し、作動しなくなる可能性があった。
また、呼吸弁９の傘部９ａ内に冷風が入り込み、呼吸弁９の傘部９ａ内側に取り付けた温度センサ１４の計測温度が所定の温度を下回って頻繁に警報を発生する可能性があり、警報発生後の点検や原因解明に手間、時間、人員を要すという問題を抱えていた。
【０００８】
特許文献１の実公昭６１−１３８１４号公報「可燃物貯蔵タンク等の弁装置」の考案は、寒冷地に設けるブリーザーバルブの弁体や弁座に付着した水分によって弁体と弁座が凍結しないように、弁体等に樹脂皮膜を被覆するものであり、ブリーザーバルブが冷風に直接曝されないようにする装置に関するものではない。
【０００９】
特許文献２の実公平６−９２０１号公報に開示された「換気口の構造」の考案は、排気ダクトの外周面の周方向の一部に邪魔板を設け、屋内側に雨水が浸入することを抑制するための技術であり、屋外に設置された対象物の凍結を防止するための構造ではない。
【００１０】
特許文献３の実登第３０１３６５５号公報「換気フード」の考案は、室内側からの空気が壁面に吹き付ける強風によって室内側に逆流したり、換気が阻害されることを防止するために換気口に設ける換気フードに関するものであり、対象物が冷風に曝されて凍結することを防止するための装置ではない。
【００１１】
この発明の目的は、上述のような従来技術が有する問題点に鑑みてなされたもので、寒冷地の固定屋根式の貯槽において、呼吸弁の弁体と弁座が凍結することなく、呼吸弁が正常に作動することを可能にする呼吸弁の凍結防止装置を提供することにある。
【課題を解決するための手段】
【００１２】
請求項１の発明に係る呼吸弁の凍結防止装置は、貯槽の外側に取り付ける呼吸弁の凍結防止装置であって、該呼吸弁の全体を風除けカバー内に収納し、該風除けカバーには、前記呼吸弁の呼吸に伴い吸気及び排気する各気体を風除けカバーの内部に吸入及び外部に放出する吸排気口を備えるとともに、前記風除けカバーの吸排気口に通じる空間部を除く該風除けカバー内の空間部を保温材にて充填形成し、前記風除けカバーは箱状に形成して前記呼吸弁の周囲を覆う保温カバーと、該保温カバーの壁面に呼吸弁の呼吸に伴う吸排気口を備え、該吸排気口をパンチングメタルの孔の開いた構造とし、該吸排気口から該保温カバーの外方側に向けて離隔し、吸排気の流路を形成する位置で前記貯槽の屋根板面に対して垂直方向に風除け用邪魔板を立設し、該風除け用邪魔板の上部を覆う風雨カバーを風除けカバーの側壁上部に取付け形成することを特徴とする。 
【００１４】
請求項１記載の呼吸弁は該呼吸弁及び該呼吸弁周囲の空間温度を保持する温度保持機構を備え、該温度保持機構は該呼吸弁を加温するヒーターと、前記呼吸弁の傘部外面又は弁筐外側に該呼吸弁の温度を検知する温度センサと、該温度センサの感温部を被覆する保温材と、前記ヒーターと前記温度センサと連動して該呼吸弁及び呼吸弁周囲の空間温度を一定に保持する制御盤とを備え、該制御盤は、前記温度センサの計測温度が設定温度に下がった段階で前記ヒーターの電源を自動的に入れ、前記温度センサの計測温度が設定温度以上に上がった段階で前記ヒーターの電源を自動的に切る機構を備えることを特徴とする。 
【発明の効果】
【００１５】
請求項１の発明に係る呼吸弁の凍結防止装置は、貯槽の外側に取り付ける呼吸弁の凍結防止装置であって、該呼吸弁の全体を風除けカバー内に収納し、該風除けカバーには、前記呼吸弁の呼吸に伴い吸気及び排気する各気体を風除けカバーの内部に吸入及び外部に放出する吸排気口を備えるとともに、前記風除けカバーの吸排気口に通じる空間部を除く該風除けカバー内の空間部を保温材にて充填形成し、前記風除けカバーは箱状に形成して前記呼吸弁の周囲を覆う保温カバーと、該保温カバーの壁面に呼吸弁の呼吸に伴う吸排気口を備え、該吸排気口をパンチングメタルの孔の開いた構造とし、該吸排気口から該保温カバーの外方側に向けて離隔し、吸排気の流路を形成する位置で前記貯槽の屋根板面に対して垂直方向に風除け用邪魔板を立設し、該風除け用邪魔板の上部を覆う風雨カバーを風除けカバーの側壁上部に取付け形成するので、寒冷地において、貯槽の外側に取り付ける呼吸弁を風除けカバーで収納することにより、呼吸弁本体が冷風に直接曝されない構造となり、寒冷地仕様でない呼吸弁にあっても本体の温度の低下を抑制することが可能となる。また、風除けカバー内の空間部に呼吸弁の呼吸を阻害しないように保温材を充填しているので、呼吸弁の弁筐内の弁体等の温度を降下させず、一定に保持することが可能となり、貯槽等の内圧調整に必要な呼吸量を常に確保することが可能となる。そのため、寒冷地の気体漏れ量を厳しく制限される貯槽において、吸排気口からの気体漏れ量が少なく、寒冷地仕様でない呼吸弁を採用することが可能となる。前記風除けカバー内部に雨が流入することがなく、あるいは風が直接吹き込むことがないため、呼吸弁が風雨に直接曝されることを防止することが可能である。風除けカバーは、比較的簡便な構造であるため、新設、既設の呼吸弁のいずれにも適用することが可能である。
【００１７】
請求項１記載の呼吸弁は該呼吸弁及び該呼吸弁周囲の空間温度を保持する温度保持機構を備え、該温度保持機構は該呼吸弁を加温するヒーターと、前記呼吸弁の傘部外面又は弁筐外側に該呼吸弁の温度を検知する温度センサと、該温度センサの感温部を被覆する保温材と、前記ヒーターと前記温度センサと連動して該呼吸弁及び呼吸弁周囲の空間温度を一定に保持する制御盤とを備え、該制御盤は、前記温度センサの計測温度が設定温度に下がった段階で前記ヒーターの電源を自動的に入れ、前記温度センサの計測温度が設定温度以上に上がった段階で前記ヒーターの電源を自動的に切る機構を備えているので、呼吸弁本体の保温効果をより高めることが可能となり、寒冷地において、寒冷地仕様でない呼吸弁であっても本体の温度が低下することなく、弁体と弁座を凍結させずに、正常に作動させることが可能となる。また、呼吸弁に設けた温度センサの感温部上を保温材で覆うことにより、温度センサの感温部が外気に直接曝されなくなり、温度センサの計測温度が外気温の影響を受け難くなるため、呼吸弁の温度管理が容易になる。ヒーターと温度センサは、制御盤（図示せず）に接続されており、該制御盤は、温度センサの計測温度が所定の温度に下がった段階でヒーターの電源を自動的に入れ、温度センサの計測温度が所定の温度以上に上がった段階でヒーターの電源を自動的に切る機構を備えている。そのため、呼吸弁本体および呼吸弁周囲の空間温度を所定の温度範囲内に制御することが可能となり、低温警報器による警報の発生を防止することが可能となる。上記の温度保持機構と前記風除けカバーを組み合わせて使用することにより、必要最小限のヒーターの稼動で呼吸弁の弁体と弁座が凍結することを防止することが可能となるため、温度保持機構と風除けカバーを設置せずにヒーターのみで呼吸弁を加温する場合と比較して、コストダウンすることが可能となる。
【図面の簡単な説明】
【００１８】
【図１】この発明に係る貯槽の外側の呼吸弁に風除けカバーを設置している状況を示す全体説明図である。
【図２】図１のＡ部を拡大して示す正面図である。
【図３】呼吸弁の凍結防止装置の第１の実施形態例を示す断面図である。
【図４】呼吸弁の凍結防止装置の第２の実施形態例を示す断面図である。
【図５】従来の貯槽に呼吸弁を設置している状況を示す全体説明図である。
【図６】図５のＢ部を拡大して示す正面図である。
【発明を実施するための形態】
【００１９】
この発明に係る呼吸弁の風除けカバーの実施形態を、図１乃至図４に基づいて説明する。
図１は固定屋根式の貯槽１の呼吸弁９を風除けカバー１０で収納している状況を示す図で、２は側板、３は底板、４は屋根板、５は基盤、６は地盤、７は液体であり、貯槽１は地盤６の基盤５上に据え置かれ、液体７を貯蔵している。
各種の液体７を貯蔵する貯槽１においては、貯蔵液体７の払出しや受入れによって、或いは外気条件によって、生じる内圧変化に対応させるために、屋根板４等に呼吸弁管台８を設け、その上部に呼吸弁９を取り付けている。
風除けカバー１０は、前記の呼吸弁９が冷風に直接曝されないように、呼吸弁管台８と呼吸弁９を覆うように設ける。
【００２０】
図１の風除けカバー１０を設けることにより、呼吸弁９が冷風に直接曝されることがなく、寒冷地仕様でない呼吸弁を寒冷地で使用した場合にあっても、呼吸弁９本体の温度が低下して、呼吸弁９内の弁体と弁座が凍結することを防止することが可能となる。
【００２１】
図２は、図１のＡ部、貯槽の呼吸弁の風除けカバーの外形を拡大して示す正面図である。
風除けカバー１０は、箱状の保温カバー１０ａと、呼吸弁９が冷風に直接曝されることを阻止する風除け用邪魔板１０ｂと、風や雨が前記保温カバー１０ａ内に入らないようにするために設ける風雨カバー１０ｃと、呼吸弁９の吸気する気体または排気する気体が通る吸排気口１０ｄとを備えており、風除け用邪魔板１０ｂと風雨カバー１０ｃは接続具１０ｅで保温カバー１０ａの外壁面に固定されている。
保温カバー１０ａは、水平断面が円形または多角形の箱形に形成した、金属製の躯体とする。
呼吸弁９の傘部外面と保温カバー１０ａ内壁面との間の空間部には、保温材１２を充填する。
風除けカバー１０は、破線で示す呼吸弁９本体が冷風に直接曝されないように、破線で示す呼吸弁管台８と呼吸弁９を覆うように設ける。
風除けカバー１０に吹き付ける風Ｗは、垂直に立設した風除け用邪魔板１０ｂにより鉛直方向に流れ、保温カバー１０ａ内の呼吸弁９本体に到達する際には風速が弱まるので、寒冷地で強い冷風が吹く環境において、呼吸弁９本体の温度の低下を抑制することが可能となる。
【００２２】
図２の風除けカバー１０は、その内部に雨が流入することがなく、あるいは風が直接吹き込むことがないため、呼吸弁９が風雨に直接曝されることを防止することが可能である。
風除けカバー１０は、比較的簡便な構造であるため、新設、既設の呼吸弁のいずれにも適用することが可能である。
【００２３】
図３は、呼吸弁の凍結防止装置の第１の実施形態例を示す断面図である。
屋根板４上に設けた呼吸弁管台８上に呼吸弁９を接続し、風除けカバー１０で覆い、風除けカバー１０底部を屋根板４上に固定する。
風除けカバー１０は、箱状の保温カバー１０ａと、呼吸弁９本体が風に直接曝されることを阻止する風除け用邪魔板１０ｂと、風や雨が前記保温カバー１０ａ内に入らないようにするために設ける風雨カバー１０ｃとで構成され、呼吸弁９の吸気する気体または排気する気体が通る吸排気口１０ｄとを備えている。
風除けカバー１０の吸排気口１０ｄは、パンチングメタル等の孔の開いた構造とする。
風除けカバー１０に水平方向に吹く風Ｗは、垂直に立設した風除け用邪魔板１０ｂにより鉛直方向に流れるので、保温カバー１０ａ内の呼吸弁９本体に到達する際には風速が弱まるので、寒冷地で強い冷風が吹く環境において、呼吸弁９本体の温度の低下を抑制することが可能となる。
呼吸弁９の傘部９ａ外面にヒーター１３を設け、呼吸弁９の傘部９ａ外面と保温カバー１０ａ内壁面との間の空間部で、呼吸弁９が吸気する気体の流れＲ１および排気する気体の流れＲ２を妨げない箇所に保温材１２を充填することにより、呼吸弁９本体および呼吸弁９周囲の空間部の保温効果を更に高めることが可能となる。
図３の呼吸弁９は、呼吸弁９の傘部９ａ外側に接触部の温度を検知する温度センサ１４を設けている。温度センサ１４は、測温抵抗体や熱電対等を使用する。
前記温度センサ１４は低温警報器に接続され、当該低温警報器は、温度センサ１４の計測温度が所定の温度を下回った場合に警報を発生する。
また、呼吸弁９の傘部９ａに設けた温度センサ１４の感温部上を保温材１２で覆うことにより、温度センサ１４の感温部が外気に直接曝されなくなり、温度センサ１４の計測温度が外気温の影響を受け難くなるため、呼吸弁９の温度管理が容易になる。
また、風Ｗの経路である風除け用邪魔板１０ｂや風雨カバー１０ｃにヒーター１３を設けることにより、呼吸弁９本体や保温カバー１０ａ内の空間温度の低下をさらに抑制することが可能となる。
保温材１２には、ロックウールやグラスウール等の断熱材を使用する。
【００２４】
図３のヒーター１３と温度センサ１４は、制御盤（図示せず）に接続されており、該制御盤は、温度センサ１４の計測温度が所定の温度に下がった段階でヒーター１３の電源を自動的に入れ、温度センサ１４の計測温度が所定の温度以上に上がった段階でヒーター１３の電源を自動的に切る機構を備えている。そのため、呼吸弁９本体および呼吸弁９周囲の空間温度を所定の温度範囲内に制御することが可能となり、低温警報器による警報の発生を防止することが可能となる。
上記の温度保持機構と前記風除けカバー１０を組み合わせて使用することにより、必要最小限のヒーター１３の稼動で呼吸弁９の弁体と弁座が凍結することを防止することが可能となるため、温度保持機構と風除けカバー１０を設置せずにヒーター１３のみで呼吸弁９を加温する場合と比較して、コストダウンすることが可能となる。  
【００２５】
図４は、呼吸弁の凍結防止装置の第２の実施形態例を示す断面図であり、屋根板４上に設けた呼吸弁管台８上に傘部を取り外した呼吸弁９を接続し、該呼吸弁９を箱状の風除けカバー１１で覆い、屋根板４上に固定している状況を示す。
図４に示す弁重式の呼吸弁９は、弁筐９ｆ内に形成された吸気口９ｂ側と排気口９ｄ側とにそれぞれ弁体９ｃ、９ｅが配置され、該弁体９ｃ、９ｅの自重によって吸気口９ｂ及び排気口９ｄを常時閉止しており、貯槽１内が負圧になると、風除けカバー１１の吸気口１１ｄから外気を導入し、呼吸弁９の吸気口９ｂの弁体９ｃが持ち上げられて吸気口９ｂから貯槽１内に外気が導入され、貯槽１内が昇圧すると、呼吸弁９の排気口９ｄの弁体９ｅが押し上げられて、排気口９ｄを経て風避けカバー１１の排気口１１ｅから貯槽１外へ排気されるようになっている。
風除けカバー１１は、箱状の保温カバー１１ａと、呼吸弁９が風に直接曝されることを阻止する風避け用邪魔板１１ｂと、風や雨を凌ぐための風雨カバー１１ｃと、呼吸弁９の吸気口９ｂから吸気される気体を導入するための吸気口１１ｄと、呼吸弁９の排気口９ｄから排気される気体を外気に排気するための排気口１１ｅとを備えている。
吸気口１１ｄおよび排気口１１ｅは、パンチングメタル等の孔の開いた構造とし、各々呼吸弁９の吸気口９ｂと排気口９ｄからの気体の流れがスムーズになるように、保温カバー１１ａの壁面に設ける。
保温カバー１１ａは、水平断面が円形または多角形の箱形に形成した、金属製の躯体とする。
風除けカバー１１は、前記の呼吸弁９本体が冷風に直接曝されないように、呼吸弁管台８と呼吸弁９を覆うように設ける。
風除けカバー１１に水平方向に吹く風Ｗは、垂直に立設した風避け用邪魔板１０ｂにより鉛直方向に流れ、保温カバー１０ａ内の呼吸弁９本体に到達する際には風速が弱まるので、寒冷地で強い冷風が吹く環境において、呼吸弁９本体の温度の低下を抑制することが可能となる。
また、第１の実施形態例と同様、呼吸弁９の弁筐９ｆ外面にヒーター（図示せず）を設け、呼吸弁９と保温カバー１１ａの内壁面との間の空間部で、呼吸弁９が吸気する気体の流れＲ１および排気する気体の流れＲ２を妨げない箇所に保温材１２を充填することにより、呼吸弁９本体および呼吸弁９周囲の空間部の保温効果を更に高めることが可能となる。また、呼吸弁９の弁筐９ｆ外面に設けた温度センサ１４の感温部上を保温材１２で覆うことにより、温度センサ１４の感温部が外気に直接曝されなくなり、温度センサ１４の計測温度が外気温の影響を受け難くなるため、呼吸弁９の温度管理が容易になる。
また、風Ｗの経路である邪魔板１０ｂや風雨カバー１０ｃにヒーター１３を設けることにより、呼吸弁９本体や保温カバー１１ａ内の空間温度の低下をさらに抑制することが可能となる。
保温材１２には、ロックウールやグラスウール等の断熱材を使用する。  
【００２６】
図４のヒーター１３（図示せず）と温度センサ１４は、制御盤（図示せず）に接続されており、該制御盤は、温度センサ１４の計測温度が所定の温度に下がった段階でヒーター１３の電源を自動的に入れ、温度センサ１４の計測温度が所定の温度以上に上がった段階でヒーター１３の電源を自動的に切る機構を備えている。そのため、呼吸弁９本体および呼吸弁９周囲の空間温度を所定の温度範囲内に制御することが可能となり、低温警報器による警報の発生を防止することが可能となる。
上記の温度保持機構と前記風除けカバー１１を組み合わせて使用することにより、必要最小限のヒーター１３の稼動で呼吸弁９の弁体９ｃ、９ｅと弁座が凍結することを防止することが可能となるため、温度保持機構と風除けカバー１１を設置せずにヒーター１３のみで呼吸弁９を加温する場合と比較して、コストダウンすることが可能となる。
【００２７】
呼吸弁９は、屋根板４上にフィルターユニットを介して設置されている場合があるが、図３または図４の屋根板４上面の場合と同様に、フィルターユニット上の呼吸弁９を風除けカバー１０、１１で収容することが可能である。
【００２８】
図１から図４に示す通り、寒冷地の貯槽１等に取り付ける呼吸弁９に風除けカバー１０、１１および温度保持機構を設けることにより、呼吸弁９が冷風に直接曝されず、呼吸弁９本体の温度が常に一定に保持されるので、寒冷地仕様でない呼吸弁９を使用した場合においても、呼吸弁９本体の温度を下げることなく、弁筐９ｆ内の弁体９ｃ、９ｅと弁座を凍結させずに正常に作動させることが可能となる。
そのため、気体漏れ量を厳しく制限される貯槽において、吸排気口９ｂ、９ｄからの気体の漏れ量が少なく、寒冷地仕様でない呼吸弁を採用した場合に、呼吸弁９の弁筐９ｆの温度が下がることがなくなり、弁筐９ｆ内の弁体９ｃ、９ｅと弁座を凍結させずに正常に作動させることが可能となる。
【産業上の利用可能性】
【００２９】
この発明に係る呼吸弁の凍結防止装置は、貯槽の呼吸弁のみならず、各種製品の凍結防止としても有効利用することが可能である。
【符号の説明】
【００３０】
１  貯槽
２  側板
３  底板
４  屋根板
５  基盤
６  地盤
７  液体
８  呼吸弁管台
９  呼吸弁
９ａ  傘部
９ｂ  吸気口
９ｃ  吸気口の弁体
９ｄ  排気口
９ｅ  排気口の弁体
９ｆ  弁筐
１０    風除けカバー
１０ａ  保温カバー
１０ｂ  風避け用邪魔板
１０ｃ  風雨カバー
１０ｄ  吸排気口
１０ｅ  接続具
１１  風除けカバー
１１ａ  保温カバー
１１ｂ  風避け用邪魔板
１１ｃ  風雨カバー
１１ｄ  吸気口
１１ｅ  排気口
１２  保温材
１３  ヒーター
１４  温度センサ
Ｗ  風の流れ
Ｒ１ 呼吸弁９により吸気する気体の流れ
Ｒ２ 呼吸弁９により排気する気体の流れ
【図１】
0006508584.tif 000002
【図２】
0006508584.tif 000003
【図３】
0006508584.tif 000004
【図４】
0006508584.tif 000005
【図５】
0006508584.tif 000006
【図６】
0006508584.tif 000007